(57)【特許請求の範囲】
【請求項１】
塗膜転写具本体内に形成される供給リール軸に供給リールギアと共に回転自在に供給リールを軸着し、この供給リールに巻回する未使用の塗膜転写テープを塗膜転写具本体の開口部より突出して挟持される転写ヘッドに供給し、同様に、巻取りリール軸に供給リールギアと連動して噛合回転する巻取りリールギアと共に回転自在に巻取りリールを軸着し、この巻取りリールに使用済みの塗膜転写テープを巻回、収納する塗膜転写具において、巻取りリール軸に軸着され、供給リールギアに連動して噛合回転するギア部と、外壁面の縦方向に複数の縦リブを形成した円筒部からなる巻取りリールギアに対して、径方向に弾性を有する薄肉の円筒面をもち、その内壁面に内径方向に向かって突条縁を周設する巻取りリールを、上記巻取りリールギアの縦リブと巻き取りリールの突条縁とが当接するように挿嵌させてなる塗膜転写具の巻取りリールの軸着構造。
【請求項２】
塗膜転写具本体内に形成される供給リール軸に供給リールギアと共に回転自在に供給リールを軸着し、この供給リールに巻回する未使用の塗膜転写リールを塗膜転写具本体の開口部より突出して保持される転写ヘッドに供給し、同様に、巻取りリール軸に供給リールギアと連動して噛合回転する巻取りリールギアと共に回転自在に巻取りリールを軸着し、この巻取りリールに使用済みの塗膜転写テープを巻回、収納する塗膜転写具において、巻取りリール軸に軸着され、供給リールギアに連動して回転するように噛合するギア部と、外壁面の軸方向に複数の縦リブとその間にスリットを形成する円筒部からなる巻取りリールギアに対して、その内壁面に内径方向に向かって突出する突条縁を周設してなる筒体部をもつ巻取りリールを、上記巻取りリールにギアの縦リブと巻取りリールの突条縁とが当接するように挿嵌させてなる塗膜転写具の巻取りリールの軸着構造。
【発明の詳細な説明】
【０００１】
【発明の属する技術分野】
この発明は、誤記等に対して、塗膜転写テープ上の塗膜を転写することにより修正を行う塗膜転写具、特に使用済みの塗膜転写テープを巻回、収納する巻取りリールの軸着構造に関する。
【０００２】
【従来の技術】
従来、誤記等に対して、塗膜転写テープ上の塗膜を転写することにより修正を行う塗膜転写具は、構成する塗膜転写具本体（以下単に「本体」という。）内に、使用済みの塗膜転写テープを巻回、収納する巻取りリールが収容され、この本体内に形成される巻取りリール軸に巻取りリールを軸着し、この巻取りリールに設ける巻取りリールギアは、供給リールと共に供給リール軸に回転自在に軸着される供給リールギアと連動して回転するように噛合する。この巻取りリールギア対して、巻取りリールギアの回転に合わせて回転し、巻取りリールギアの回転が一定以上となった場合には空転するように環状のゴム体を介して巻取りリール軸に軸着するものが一般的である。
【０００３】
【発明が解決しようとする課題】
しかしながら、上記従来のものにおいて、使用済みの塗膜転写テープを巻回、収納する巻取りリールを、上記空転を防止するため、本体内に形成される巻取りリール軸に軸着される巻取りリールギアに環状のゴム体を介して軸着してなるものは、製造工程において、巻取りリールを挿嵌するにあたり、予め本体内において形成される巻取りリール軸に軸着される巻取りリールギアに環状のゴム体を装着する必要があるが、環状のゴム体自体が微小な部品であると共に、変形することにより巻取りリールギアと巻取りリールとを確実に一体にするものであるから、非常に弾性に富む性質を有するものであり、その作業を正確に、しかも簡易かつ迅速に行うことは困難な作業であり、作業性の低下を招くという問題点がある。
【０００４】
また、たとえ微小な環状のゴム体であっても、別体であって、変形することにより巻取りリールギアと巻取りリールとを確実に一体にするものであることから、高精度が要求されることとなり、製造コストが上昇してしまい、この上昇は、製造コストが厳しく管理される文具用品にとっては重要な問題点となる。
【０００５】
そこで、この発明は上記従来のものの持つ問題点を改善するものであり、簡単な構造により、正確にしかも簡易且つ迅速に巻取りリールを巻取りリールギアに対して一体に軸着できるようにするものである。
【０００６】
【課題を解決するための手段】
そのために、本体内に形成される供給リール軸に供給リールギアと共に回転自在に供給リールを軸着し、この供給リールに巻回する未使用の塗膜転写テープを、本体の開口部より突出して保持される転写ヘッドに供給する。同様に、巻取りリール軸に供給リールギアと噛合連動する巻取りリールギアと共に回転自在に巻取りリールを軸着し、この巻取りリールに使用済みの塗膜転写テープを巻回、収納する塗膜転写具において、巻取りリール軸に軸着され、供給リールギアに連動して噛合回転するギア部と、外壁面の軸方向に複数の縦リブを形成した、円筒部からなる巻取りリールギアに対して、径方向に弾性を有する薄肉の円筒面をもち、その内壁面に内径方向に向かって突出する突条縁を周設する巻取りリールを、上記巻取りリールギアの縦リブと巻取りリールの突条縁とが当接するように挿嵌させてなるものである。
【０００７】
また、上記塗膜転写具において、巻取りリール軸に軸着され、供給リールギアに連動して回転するように噛合するギア部と、外壁面の軸方向に複数の縦リブとその間にスリットを形成する円筒部をもつ巻取りリールギアに対して、円筒状の内壁面に内径方向に向かって突出する筒体部の突条縁を設ける巻取りリールを、挿嵌させてなるものである。
【０００８】
【発明の実施の形態】
この発明の実施例である塗膜転写具において、その本体内に形成される巻取りリール軸に回転自在に軸着され、供給リールギアと連動して回転するように噛合する巻取りリールギアに巻取りリールを軸着するにあたっては、巻取りリールギアの円筒部に巻取りリールの薄肉の筒体部を挿嵌することにより、巻取りリールギアの円筒部に対して巻取りリールの筒体部の薄肉部が変形し、巻取りリールギアの複数の縦リブが、巻取りリールの外壁面に周設される内径方向に向かって突出する突条縁と当接し、巻取りリールギアと巻取りリールは一体に回転するものとなる。従って、供給リールから供給され、使用済みとなった塗膜転写テープは、供給リールと一体に軸着される供給リールギアに噛合する巻取りリールギアと一体となる巻き取りリールにより、供給リールの回転に連動して回転しつつ、巻回、収納されるものとなる。
【０００９】
そこで、巻取りリール軸に回転自在に軸着され、供給リールギアと連動して回転するように噛合する巻取りリールギアに対して、供給リールギアから過剰な回転が伝達されると、それまで巻取りリールギアの円筒部の変形により発生する弾性をもって当接し一体となっていた巻取りリールギアの円筒部の外壁面の軸方向に形成する複数の縦リブと、巻取りリールの内壁面に周設される内径方向に向かって突出する突条縁との間で、両者の当接が保持できなくなり、巻取りリールギアの空転が生じることとなって巻取りリールの回転が停止するので、未使用の塗膜転写テープが巻取りリールに巻取られ、収納されることを防止できるものである。
【００１０】
更に、巻取りリール軸に軸着される巻取りリールギアを、供給リールギアに連動して回転するように噛合するギア部と、外壁面の軸方向に複数の縦リブとその間にスリットを形成する円筒部とし、これに挿嵌する巻取りリールの筒体部をその内壁面に内径方向に向かって突出する突条縁を周設し、あるいは巻取りリールギアのスリットに代え巻取りリールの内壁面にスリットを設けて弾性をもたせて、巻取りリールギアに挿嵌するものとしても、上記巻取りリール又は巻取りリールギアの筒体部又は円筒部に配設するスリットにより、上記筒体部自体が巻取りリールの挿嵌に伴って同様に径方向に変形するので、この巻取りリールギアの円筒部の外壁面の軸方向に均等に且つ一体に形成する複数の縦リブと、巻取りリールの内壁面に周設される内径方向に向かって突出する突条縁とが弾性をもって当接し、供給リールギアと巻取りリールギアとの噛合を介して供給リールと巻取りリールは連動して回転し、塗膜転写テープの供給、収納を行うことができ、供給リールの過度の回転に対しては巻取りリールが係止して未使用テープの巻取りを防止できるものとなる。なお、上記リール又はリールギアの材料として潤滑性をもつアセタール樹脂，ポリプロピレン樹脂等を用いると良好な結果が得られ、また、巻取りリールの筒体部を図に示すように一端を解放して内外壁をもつ円筒状のものに形成すると、内壁面の弾性をより向上させるものとなる。
【００１１】
【実施例】
この発明を図に示す実施例により更に説明する。（１）はこの発明の実施例である塗膜転写具であり、塗膜転写具（１）は、本体（２）と、この本体（２）内に収容され、本体（２）内において一体に形成される供給リール軸（５）において供給リールギア（６）と共に回転自在に軸着される供給リール（７）を設け、この供給リール（７）は、巻回する未使用の塗膜転写テープ（８）を、本体（２）の開口部（３）より突出して保持される転写ヘッド（４）に供給する。同様に、巻取りリール軸（９）において供給リールギア（６）と連動して回転するように噛合する巻取りリールギア（１０）と共に巻取りリール（１５）を回転自在に軸着し、この巻取りリール（１５）に使用済みの塗膜転写テープ（８’）を巻回、収納する。
【００１２】
そして、上記塗膜転写具（１）を構成する本体（２）内に巻取りリール軸（９）に軸着され、供給リールギア（６）に連動して回転するように噛合するギア部（１１）と一体の円筒部（１２）からなる巻取りリールギア（１０）を軸着し、上記円筒部（１２）の、外壁面（１３）の軸方向に複数の縦リブ（１４）を均等間隔に且つ一体に形成する。この巻取りリールギア（１０）に対して、薄肉に形成する内壁面（１６）に内径方向に向かって突出する突条縁（１７）を周設する巻取りリール（１５）を挿嵌させてなるものである。なお、上記内壁面（１６）を構成する筒体部（１９）は、それ自身が弾性的に径方向に屈撓する材料で構成することもできる。
【００１３】
この発明の実施例である塗膜転写具（１）において、塗膜転写具（１）を構成する本体（２）内に一体に形成される巻取りリール軸（９）に回転自在に軸着され、供給リールギア（６）と連動して回転するように噛合する巻取りリールギア（１０）に対して、巻取りリール（１５）を軸着させるにあたっては、巻取りリール（１５）を巻取りリールギア（１０）の円筒部（１２）に対して挿嵌することにより、巻取りリール（１５）の筒体部（１９）が弾性変形し、巻取りリールギア（１０）の円筒部（１６）の外壁面（１３）の軸方向に均等に且つ一体に形成する複数の縦リブ（１４）が、上記巻取りリール（１５）の内壁面（１６）に周設される内径方向に向かって突出する突条縁（１７）と弾性をもって当接することで一体に固定されるものとなる。従って、供給リール（７）から供給され、転写ヘッド（４）を経て使用済みとなった塗膜転写テープ（８’）は、供給リールギア（６）に噛合する巻取りリールギア（１０）のギア部（１１）と一体の巻き取りリール（１５）により、供給リール（７）の回転に連動して回転しつつ、巻回、収納されるものとなる。
【００１４】
また、巻取りリール軸（９）に回転自在に軸着され、供給リールギア（６）と連動して回転するように噛合する巻取りリールギア（１０）のギア部（１１）に対して、供給リールギア（６）から過剰な回転が伝達されると、それまで巻取りリールギア（１０）の円筒部（１２）の変形により発生する弾性をもって当接し一体となっていた円筒部（１２）の外壁面（１３）の複数の縦リブ（１４）と、巻取りリール（１５）の内壁面（１６）に周設される内径方向に向かって突出する突条縁（１７）との間で、上記当接が解除されることで、巻取りリールギア（１０）の空転が生じることとなって巻取りリール（１５）の回転は止まるので、未使用の塗膜転写テープ（８）が巻取りリール（１５）に巻取られ収納されることが防止される。
【００１５】
更に、図５に示すものは、この発明のその他の実施例である塗膜転写具（１）における巻取りリール（１５）の軸着構造を示すものであり、巻取りリール軸（９）に対して巻取りリール（１５）と共に回転自在に軸着される巻取りリールギア（１０）は、供給リールギア（６）に連動して回転するように噛合するギア部（１１）と、外壁面（１３）の軸方向に複数の縦リブ（１４）を均等に且つ一体的に形成するものである。この巻取りリールギア（１０）に対して、巻取りリール（１５）の筒体部（１９）の内壁面（１６）には、内径方向に向かって突出する突条縁（１７）を周設して、上記縦リブ（１４）と突条縁（１７）を当接し、弾性をもって一体に固定させてなるものである。なお、巻取りリール（１５）の上端部にゆるみ防止ボタン（２０）（図２，図６参照）を嵌合することにより、使用済みの塗膜転写テープ（８’）を巻き取り、このリールに生ずるテープのゆるみ止めをはかることができる。また、巻取りリール（１５）の内壁面（１６）に設ける突条縁（１７）は必要により複数を平行して設けることができる。ここで適宜数のスリット（１８）は、巻取りリールギア（１０）の円筒部（１２）に設けてあるが、前記のとおり巻取りリール（１５）の筒体部（１９）に設けて、弾性を保持させることもできる。
【００１６】
この発明の他の実施例である塗膜転写具（１）における巻取りリール（１５）の軸着構造が以上の構成であるので、巻取りリール軸（９）に回転自在に軸着される巻取りリールギア（１０）に対して巻取りリール（１５）を挿嵌すると、上記巻取りリールギア（１０）の円筒部（１２）に配設するスリット（１８）により、上記円筒部（１２）自体が巻取りリール（１５）の挿嵌に伴って径方向に変形しつつ弾性をもって当接するので、この巻取りリールギア（１０）の円筒部（１２）の外壁面（１３）の軸方向に均等に且つ一体に形成する複数の縦リブ（１４）と、巻取りリール（１５）の内壁面（１６）に周設される内径方向に向かって突出する突条縁（１７）とが弾性をもって一体に固定され、供給リールギア（６）と巻取りリールギア（１０）との噛合を介して供給リール（７）と巻取りリール（１５）は連動して回転し、塗膜転写テープ（８）（８’）の供給、収納を行うことができるものとなる。一方、供給リールギア（６）と巻取りリールギア（１０）との噛合を介して供給リール（７）から巻取りリール（１５）へ過剰な回転が伝達される場合、巻取りリールギア（１０）と巻取りリール（１５）との当接が解除されて巻取りリールギア（１０）が空転することとなって、未使用の塗膜転写テープ（８）が巻取りリール（１５）に対して巻取られ、収納されることを防止できる。
【００１７】
【発明の効果】
以上のとおり、この発明は構成されるから、簡単な構造により、正確にしかも迅速且つ容易に巻取りリールを巻取りリール軸に軸着される巻取りリールギアに対して一体に軸着できるので、製造作業における作業性は大幅に向上すると共に、各部品点数を減らせて製造コストの削減を図ることができると共に、この軸着構造を構成する部品自体が一体成型により製造することができ、部品単体の製造コストも含めた更なるコストの低減を図ることができる優れた効果を有するものである。
【図面の簡単な説明】
【図１】この発明の実施例である塗膜転写具の正面図である。
【図２】この発明の実施例である塗膜転写具の断面図である。
【図３】この発明の実施例である塗膜転写具における巻き取りリールの軸着構造を示す分解斜視図である。
【図４】この発明の実施例である塗膜転写具における巻き取りリールの軸着構造を示す拡大断面図である。
【図５】この発明のその他の実施例である塗膜転写具における巻き取りリールの軸着構造を示す分解斜視図である。
【図６】この発明のその他の実施例である塗膜転写具における巻き取りリールの軸着構造を示す拡大断面図である。
【符号の説明】
１  塗膜転写具
２  塗膜転写具本体
３  開口部
４  転写ヘッド
５  供給リール軸
６  供給リールギア
７ 供給リール
８  未使用の塗膜転写テープ
８’使用済みの塗膜転写テープ
９  巻取りリール軸
１０  巻取りリールギア
１１  ギア部
１２  円筒部
１３  外壁面
１４  縦リブ
１５  巻取りリール
１６  内壁面
１７  突条縁
１８  スリット
１９  筒体部
２０  ゆるみ防止ボタン
【図１】
0004182377.tif 000002
【図２】
0004182377.tif 000003
【図３】
0004182377.tif 000004
【図４】
0004182377.tif 000005
【図５】
0004182377.tif 000006
【図６】
0004182377.tif 000007